(57)【要約】【解決手段】カードホルダー上動阻止部材Ｖ１及び係止部材Ｖ２が形成されたカードホルダーＳを、容器Ｂに取り付ける際に．カードホルダーに形成された係止部材を、容器に穿設された長孔ｂ２に挿入した後、カードホルダーを、垂直方向に下降させることにより、カードホルダー上動阻止部材を、容器に穿設された長孔の上端に、当接或いは近接するように、容器に穿設された長孔に嵌合したものである。【効果】カードホルダーを変形させることなく、容器に取り付けることができるので、弾性変形することが困難な板状のＩＣカードが収容された状態のカードホルダーを、容器に取り付けることができる。【選択図】図１３
2010083503.tif 000002
【特許請求の範囲】
【請求項１】
カードホルダー上動阻止部材及び係止部材が形成されたカードホルダーを、容器に取り付ける際に．前記カードホルダーに形成された係止部材を、容器に穿設された長孔に挿入した後、前記カードホルダーを、垂直方向に下降させることにより、前記カードホルダー上動阻止部材が、前記容器に穿設された長孔の上端に、当接或いは近接するように、前記容器に穿設された長孔に嵌合されるように構成されていることを特徴とするカードホルダー。
【請求項２】
カードホルダー本体を構成する下端水平フランジに、前記カードホルダー本体を構成する奥壁の裏面から突出する複数の突っ張り片が突設されていることを特徴とする請求項１に記載のカードホルダー。
【発明の詳細な説明】
【技術分野】
【０００１】
本発明は、物品の行き先、物品名、種類、数量等の種々の情報が蓄積されたカードを収容するカードホルダーに関するものである。
【背景技術】
【０００２】
カードホルダーを、合成樹脂で成形し、弾性変形可能に構成するとともに、カードホルダーに形成された脚部を、容器の側壁に形成された透孔に挿着することにより、カードホルダーを、容器に取り付けるように構成されたカードホルダーが、一例として、特許文献１に開示されている。
【０００３】
【特許文献１】特許３２９４７０６号公報
【発明の開示】
【発明が解決しようとする課題】
【０００４】
上述した従来のカードホルダーにおいては、カードホルダーを変形させることにより、カードホルダーを、容器に取り付けるように構成されているために、弾性変形することが困難な板状のＩＣカード等を、カードホルダーに収容した状態で、カードホルダーを、容器に取り付けることが不可能であった。
【０００５】
また、上述した従来のカードホルダーは、カードホルダーが変形すると、カードホルダーが、簡単に、容器から外れ落ちるという問題があった。
【０００６】
本発明の目的は、上述した従来のカードホルダーが有する課題を解決することにある。
【課題を解決するための手段】
【０００７】
本発明は、上述した目的を達成するために、第１には、カードホルダー上動阻止部材及び係止部材が形成されたカードホルダーを、容器に取り付ける際に．カードホルダーに形成された係止部材を、容器に穿設された長孔に挿入した後、カードホルダーを、垂直方向に下降させることにより、カードホルダー上動阻止部材が、容器に穿設された長孔の上端に、当接或いは近接するように、容器に穿設された長孔に嵌合されるように構成したものであり、第２には、カードホルダー本体を構成する下端水平フランジに、カードホルダー本体を構成する奥壁の裏面から突出する複数の突っ張り片を突設したものである。
【発明の効果】
【０００８】
本発明は、上述した構成を有するので、以下に記載する効果を奏することができるものである。
【０００９】
カードホルダー上動阻止部材及び係止部材が形成されたカードホルダーを、容器に取り付ける際に．カードホルダーに形成された係止部材を、容器に穿設された長孔に挿入した後、カードホルダーを、垂直方向に下降させることにより、カードホルダー上動阻止部材が、容器に穿設された長孔の上端に、当接或いは近接するように、容器に穿設された長孔に嵌合されるように構成したので、カードホルダーを変形させることなく、容器に取り付けることができるので、弾性変形することが困難な板状のＩＣカードが収容された状態のカードホルダーを、容器に取り付けることができる。
【００１０】
ＩＣカードが収容されたカードホルダーが、容器の側壁に取り付けられた際には、突っ張り片が、容器の側壁に当接し、カードホルダーを傾斜させるように構成されているので、カードホルダーに形成された係止部材の垂直部が、容器の側壁に圧接されることになり、したがって、カードホルダーのグラツキが防止できるとともに、カードホルダーの容器からの脱落を、より確実に防止することができ、また、このように構成することにより、カードホルダーに収容されたＩＣカードへの情報の読み書きミスを防止することができる。
【実施例】
【００１１】
以下に、本発明の実施例について説明するが、本発明の趣旨を越えない限り、何ら、本実施例に限定されるものではない。
【００１２】
１は、カードホルダー本体であり、カードホルダー本体１は、略方形状の奥壁１ａと、奥壁１ａの上辺１ａ１から、奥壁１ａに対して垂直方向に延在する上端水平フランジ１ｂと、奥壁１ａの下辺１ａ２から、奥壁１ａに対して垂直方向に、且つ、上端水平フランジ１ｂと同じ方向に延在する下端水平フランジ１ｃと、奥壁１ａの相対する側辺１ａ３、１ａ４のうちの一方の側辺１ａ３から、奥壁１ａに対して垂直方向に、且つ、上端水平フランジ１ｂや下端水平フランジ１ｃと同じ方向に延在する垂直側部フランジ１ｄを有しており、垂直側部フランジ１ｄは、上端水平フランジ１ｂの一端と下端水平フランジ１ｃの一端とを連結するように構成されている。
【００１３】
上端水平フランジ１ｂの先端から、奥壁１ａと略平行に、且つ、その一部が、垂直側部フランジ１ｄの上部に達するように、上部垂下壁１ｅが垂下されており、また、下端水平フランジ１ｃの先端からも、奥壁１ａと略平行に、且つ、その一部が、垂直側部フランジ１ｄの下部に達するように、下部垂下壁１ｆが立設されている。なお、以下においては、奥壁１ａの上部垂下壁１ｅ及び下部垂下壁１ｆと対向する面を前面と称し、符号１ａ’が付されており、また、前面１ａ’と反対側の面を、裏面と称し、符号１ａ”が付されている。
【００１４】
上部垂下壁１ｅの垂直側部フランジ１ｄ側に位置する部分（以下、上部垂直部と称する。）１ｅ１と下部垂下壁１ｆの垂直側部フランジ１ｄ側に位置する部分（以下、下部垂直部と称する。）１ｆ１との間には、所定の間隙が形成されている。また、上部垂下壁１ｅの上端水平フランジ１ｂに沿った部分（以下、上部水平部と称する。）１ｅ２は、奥壁１ａの相対する側辺１ａ３、１ａ４のうちのもう一方の側辺１ａ４まで達することがないように構成されており、同様に、下部垂下壁１ｆの下端水平フランジ１ｃに沿った部分（以下、下部水平部と称する。）１ｆ２も、奥壁１ａの相対する側辺１ａ３、１ａ４のうちのもう一方の側辺１ａ４まで達することがないように構成されている。
【００１５】
上端水平フランジ１ｂの側端（相対する側辺１ａ３、１ａ４のうちのもう一方の側辺１ａ４側に位置する側端）１ｂ１と奥壁１ａのもう一方の側辺１ａ４との間に位置する奥壁１ａには、上端水平フランジ１ｂに連接されているとともに、奥壁１ａに対して略垂直な上部係止ロッド１ｇが形成されており、上部係止ロッド１ｇは、上端水平フランジ１ｂの先端から突出した突出部１ｇ１を有している。同様に、下端水平フランジ１ｃの側端（相対する側辺１ａ３、１ａ４のうちのもう一方の側辺１ａ４側に位置する側端）と奥壁１ａのもう一方の側辺１ａ４との間に位置する奥壁１ａには、下端水平フランジ１ｃに連接されているとともに、奥壁１ａに対して略垂直な下部係止ロッド１ｈが形成されており、下部係止ロッド１ｈは、下部水平フランジ１ｃの先端から突出した突出部１ｈ１を有している。
【００１６】
２は、ＩＣカードの側部を保護する側部保護蓋である。側部保護蓋２は、縦長の板状部２ａを有しており、また、板状部２ａの相対する長辺２ａ１、２ａ２のうちの一方の長辺２ａ２には、板状部２ａに対して略垂直に、側壁部２ｂが形成されており、板状部２ａと側壁部２ｂとにより、側部保護蓋２の平面形状は、略Ｌ字状に形成されている。
【００１７】
また、板状部２ａの上端と側壁部２ｂの上端には、板状部２ａと側壁部２ｂにより形成される隅部方向に延出する、平面形状が、略Ｌ字状の上端水平帯状リブ２ｃが形成されており、同様に、板状部２ａの下端と側壁部２ｂの下端には、板状部２ａと側壁部２ｂにより形成される隅部方向に延出する、平面形状が、略Ｌ字状の下端水平帯状リブ２ｄが形成されている。なお、以下においては、上端水平帯状リブ２ｃ及び下端水平帯状リブ２ｄが延出されている側の板状部２ａの面を、内面と称し、符号２ａ’が付されており、また、内面２ａ’と反対側の面を、外面と称し、符号２ａ”が付されている。
【００１８】
更に、上端水平帯状リブ２ｃ付近に位置する側壁部２ｂには、横長の上部係止スリット２ｅが穿設されており、同様に、下端水平帯状リブ２ｄ付近に位置する側壁部２ｂにも、横長の下部係止スリット２ｆが穿設されている。
【００１９】
カードホルダー本体１を構成する奥壁１ａの相対する側辺１ａ３、１ａ４のうちの一方の側辺１ａ４側の奥壁１ａの垂直端面１ａ５と、側部保護蓋２を構成する板状部２ａの相対する長辺２ａ１、２ａ２のうちの一方の長辺２ａ１側の垂直端面２ａ３とが、適当なヒンジ部を介して、ヒンジ連結されることにより、カードホルダー本体１の垂直側部フランジ１ｄが形成されていない側部が、側部保護蓋２により、閉鎖されるように構成されている。したがって、カードホルダー本体１が、側部保護蓋２により、被蓋された状態においては、カードホルダー本体１を構成する奥壁１ａは、上端水平フランジ１ｂと下端水平フランジ１ｃと垂直側部フランジ１ｄと側部保護蓋２により、周辺部全体が囲撓されることになるように構成されている。
【００２０】
カードホルダー本体１を構成する奥壁１ａの裏面１ａ”と垂直端面１ａ５とにより形成されるカードホルダー本体１側の外側角部Ｃ１と、側部保護蓋２を構成する板状部２ａの内面２ａ’と垂直端面２ａ３とにより形成される側部保護蓋２側の内側角部Ｃ２とを、カードホルダー本体１側の外側角部Ｃ１及び側部保護蓋２側の内側角部Ｃ２に沿って、線状或いは点状に連結することにより、ヒンジ連結部Ｈ１を介して、カードホルダー本体１と側部保護蓋２とがヒンジ連結されるように構成されている。
【００２１】
図３及び図４に示されているように、カードホルダー本体１を構成する奥壁１ａの垂直端面１ａ５と側部保護蓋２を構成する板状部２ａの垂直端面２ａ３とが、略一直線状に配置された場合には、カードホルダー本体１を構成する奥壁１ａの裏面１ａ”と側部保護蓋２を構成する板状部２ａの内面２ａ’も、略一直線状に配置されるように構成されている。
【００２２】
図５に示されているように、カードホルダー本体１を構成する奥壁１ａの裏面１ａ”に、側部保護蓋２を構成する板状部２ａの垂直端面２ａ３が当接或いは近接するように、換言すれば、カードホルダー本体１を構成する奥壁１ａに対して、側部保護蓋２を構成する板状部２ａが、略垂直となるように、側部保護蓋２を、ヒンジ連結部Ｈ１を中心に回動させることにより、カードホルダー本体１の垂直側部フランジ１ｄが形成されていない側部から、カードホルダー本体１に、板状のＩＣカードＫが挿着可能なように、側部保護蓋２を退避させる。
【００２３】
次いで、カードホルダー本体１の垂直側部フランジ１ｄが形成されていない側部から、図５及び図６に示されているように、ＩＣカードＫの上部水平端部ｋ１を、カードホルダー本体１を構成する奥壁１ａと上端水平フランジ１ｂと上部垂下壁１ｅとにより形成される上部水平空間Ａ１内に挿入するとともに、ＩＣカードＫの下部水平端部ｋ２を、カードホルダー本体１を構成する奥壁１ａと下端水平フランジ１ｃと下部垂下壁１ｆとにより形成される下部水平空間Ａ２内に挿入する。更に、ＩＣカードＫの挿入方向先端面ｋ３を、カードホルダー本体１を構成する垂直側部フランジ１ｄに近接或いは当接させると、ＩＣカードＫの挿入方向の上部角部ｋ４が、カードホルダー本体１を構成する奥壁１ａと上端水平フランジ１ｂと垂直側部フランジ１ｄと上部垂直部１ｅ１とにより形成される上部角部空間Ａ３内に挿入されるとともに、ＩＣカードＫの挿入方向の下部角部ｋ５が、カードホルダー本体１を構成する奥壁１ａと下端水平フランジ１ｃと垂直側部フランジ１ｄと下部垂直部１ｆ１とにより形成される下部角部空間Ａ４内に挿入されることになり、ＩＣカードＫの全体が、カードホルダー本体１内に配置されることになる。なお、上部水平空間Ａ１、下部水平空間Ａ２、上部角部空間Ａ３及び下部角部空間Ａ４は、図８に示されている。
【００２４】
その後、側部保護蓋２を、ヒンジ連結部Ｈ１を中心に、側部保護蓋２の板状部２ａが、カードホルダー本体１を構成する奥壁１ａと略垂直となるように、回動させることにより、カードホルダー本体１の垂直側部フランジ１ｄが形成されていない側部が、図７に示されているように、側部保護蓋２により被蓋されることになる。
【００２５】
上述したようにして、カードホルダー本体１の垂直側部フランジ１ｄが形成されていない側部が、側部保護蓋２により被蓋された状態においては、ＩＣカードＫのカードホルダー本体１の垂直側部フランジ１ｄ側に位置する上部角部ｋ４が、カードホルダー本体１を構成する奥壁１ａと上端水平フランジ１ｂと垂直側部フランジ１ｄと上部垂直部１ｅ１とにより形成される上部角部空間Ａ３内に配置されるとともに、ＩＣカードＫのカードホルダー本体１の垂直側部フランジ１ｄ側に位置する下部角部ｋ５が、カードホルダー本体１を構成する奥壁１ａと下端水平フランジ１ｃと垂直側部フランジ１ｄと下部垂直部１ｆ１とにより形成される下部角部空間Ａ４内に配置され、また、ＩＣカードＫの上部水平端部ｋ１が、カードホルダー本体１を構成する奥壁１ａと上端水平フランジ１ｂと上部垂下壁１ｅとにより形成される上部水平空間Ａ１内に配置されるとともに、ＩＣカードＫの下部水平端部ｋ２が、カードホルダー本体１を構成する奥壁１ａと下端水平フランジ１ｃと下部垂下壁１ｆとにより形成される下部水平空間Ａ２内に配置され、更に、ＩＣカードＫの側部保護蓋２側の垂直部ｋ６全体が、カードホルダー本体１を構成する奥壁１ａと側部保護蓋２を構成する板状部２ａと同じく側部保護蓋２を構成する側壁部２ｂとにより形成される側部垂直空間Ａ５内に配置されるように構成されている。したがって、カードホルダー本体１と側部保護蓋２とから構成されているカードホルダーＳにより、少なくとも、ＩＣカードＫの全周側面Ｋ’が保護されるので、カードホルダーＳが、他の物体に当接して、ＩＣカードＫが損傷するようなことを防止することができる。
【００２６】
また、カードホルダー本体１の垂直側部フランジ１ｄが形成されていない側部を、側部保護蓋２により被蓋する過程においては、上述したように、側部保護蓋２が、ヒンジ連結部Ｈ１を中心に、図６に示されている状態から、カードホルダー本体１方向に回動することになるが、この側部保護蓋２の回動途中において、側部保護蓋２の側壁部２ｂの垂直先端面２ｂ１が、先ず最初に、カードホルダー本体１に形成された上部係止ロッド１ｇ及び下部係止ロッド１ｈに当接することになる。この状態から、更に、側部保護蓋２の回動を続行させると、側部保護蓋２の弾性変形により、側部保護蓋２の側壁部２ｂが、上部係止ロッド１ｇ及び下部係止ロッド１ｈを越えることになる。このようにして、側部保護蓋２の側壁部２ｂが、上部係止ロッド１ｇ及び下部係止ロッド１ｈを越えた時点で、側部保護蓋２の弾性復元力により、側部保護蓋２が元の位置に戻ることにより、カードホルダー本体１に形成された上部係止ロッド１ｇの突出部１ｇ１が、側部保護蓋２を構成する側壁部２ｂに穿設された上部係止スリット２ｅに嵌合するとともに、カードホルダー本体１に形成された下部係止ロッド１ｈの突出部１ｈ１が、側部保護蓋２を構成する側壁部２ｂに穿設された下部係止スリット２ｆに嵌合することになる。
【００２７】
上述したように、カードホルダー本体１の垂直側部フランジ１ｄが形成されていない側部が、側部保護蓋２により被蓋された状態においては、カードホルダー本体１に形成された上部係止ロッド１ｇの突出部１ｇ１が、側部保護蓋２を構成する側壁部２ｂに穿設された上部係止スリット２ｅに嵌合され、また、カードホルダー本体１に形成された下部係止ロッド１ｈの突出部１ｈ１が、側部保護蓋２を構成する側壁部２ｂに穿設された下部係止スリット２ｆに嵌合されているので、簡単には、側部保護蓋２が、カードホルダー本体１から、離反するようなことがなく、したがって、ＩＣカードＫが、カードホルダーＳから抜け出るようなことを防止することができる。
【００２８】
なお、カードホルダー本体１の垂直側部フランジ１ｄが形成されていない側部が、側部保護蓋２により被蓋された状態においては、側部保護蓋２の上端水平帯状リブ２ｃの下面２ｃ１が、カードホルダー本体１の上部係止ロッド１ｇの上面に当接或いは近接するように構成されているとともに、側部保護蓋２の下端水平帯状リブ２ｄの上面２ｄ１が、カードホルダー本体１の下部係止ロッド１ｈの上面に当接或いは近接するように構成されている。このように構成することにより、カードホルダー本体１の垂直側部フランジ１ｄが形成されていない側部が、側部保護蓋２により被蓋された状態において、側部保護蓋２が、カードホルダー本体１に対して、上下方向に移動するようなことが防止され、したがって、カードホルダー本体１と側部保護蓋２とのヒンジ連結点Ｈ１が損傷するようなことを防止することができる。
【００２９】
次に、図３、図５及び図９〜図１５を用いて、ＩＣカードＫが収容されたカードホルダーＳを、一例として、容器Ｂの側壁Ｂ’に取り付ける手段について説明する。
【００３０】
図９及び図１０に示されているように、容器Ｂの側壁Ｂ’の中央部には、側壁Ｂ’を、内側から外側に向かって膨出させることにより、奥壁部ｂ１ａと天部ｂ１ｂと底部ｂ１ｃと相対する側部ｂ１ｄとからなる正面形状が方形状の凹部ｂ１が形成されているとともに、奥壁部ｂ１ａには、所定の間隔を置いて、２個の縦長の長孔ｂ２が、水平方向に並設するように穿設されている。
【００３１】
一方、カードホルダー本体１を構成する奥壁１ａの裏面１ａ”の上部には、所定の間隔を置いて、一対のカードホルダー上動阻止部材Ｖ１が、水平方向に並設するように形成されている。カードホルダー上動阻止部材Ｖ１は、奥壁１ａの裏面１ａ”に垂直な略円柱状の上動阻止突起ｖ１として形成されており、上動阻止突起ｖ１の上面ｖ１ａは、奥壁１ａの裏面１ａ”に対して略垂直であり、また、上動阻止突起ｖ１の下面には、上動阻止突起ｖ１の先端から奥壁１ａの裏面１ａ”方向に向かうにしたがって、下方に傾斜した傾斜面ｖ１ｂが形成されている。なお、上動阻止突起ｖ１は、略円柱状に限定されることなく、種々の形状に形成することができ、いずれの場合も、上動阻止突起ｖ１の上面ｖ１ａが、奥壁１ａの裏面１ａ”に対して略垂直であり、上動阻止突起ｖ１の下面には、傾斜面ｖ１ｂが形成されている。
【００３２】
また、カードホルダー上動阻止部材Ｖ１を構成する上動阻止突起ｖ１の真下に位置する奥壁１ａの裏面１ａ”には、所定の間隔を置いて、一対の係止部材Ｖ２が、水平方向に並設するように形成されている。係止部材Ｖ２は、奥壁１ａの裏面１ａ”に略垂直な水平部ｖ２ａと、該水平部ｖ２ａの先端から、奥壁１ａの裏面１ａ”に略平行に垂下された垂直部ｖ２ｂとを有している。
【００３３】
容器Ｂの側壁Ｂ’に形成された凹部ｂ１を構成する奥壁部ｂ１ａに穿設された縦長の長孔ｂ２間の間隔（長孔ｂ２の中心垂直線間の間隔）は、カードホルダー本体１を構成する奥壁１ａの裏面１ａ”に形成されたカードホルダー上動阻止部材Ｖ１を構成する上動阻止突起ｖ１間の間隔（上動阻止突起ｖ１の中心垂直線間の間隔）及びカードホルダー本体１を構成する奥壁１ａの裏面１ａ”に形成された係止部材Ｖ２を構成する水平部ｖ２ａや垂直部ｖ２ｂ間の間隔（水平部ｖ２ａや垂直部ｖ２ｂの中心垂直線間の間隔）と略同じに形成されている。
【００３４】
ＩＣカードＫが収容されたカードホルダーＳを、容器Ｂの側壁Ｂ’に形成された凹部ｂ１を構成する奥壁部ｂ１ａの外面ｂ１ａ’に取り付けるには、先ず最初に、図１２に示されているように、カードホルダー本体１に形成された係止部材Ｖ２を構成する垂直部ｖ２ｂを、容器Ｂの側壁Ｂ’に形成された凹部ｂ１を構成する奥壁部ｂ１ａに穿設された縦長の長孔ｂ２に挿入する。この係止部材Ｖ２の垂直部ｖ２ｂの奥壁部ｂ１ａに穿設された長孔ｂ２への挿入途中においては、カードホルダー本体１に形成されたカードホルダー上動阻止部材Ｖ１を構成する上動阻止突起ｖ１は、容器Ｂの側壁Ｂ’に形成された凹部ｂ１を構成する奥壁部ｂ１ａの外面ｂ１ａ’に当接している。
【００３５】
次いで、図１２に示されている状態から、更に、ＩＣカードＫが収容されたカードホルダーＳを垂直方向に下降させると、図１３に示されているように、カードホルダー本体１に形成された係止部材Ｖ２を構成する水平部ｖ２ａが、容器Ｂの側壁Ｂ’に形成された凹部ｂ１を構成する奥壁部ｂ１ａに穿設された縦長の長孔ｂ２の下端に当接或いは接近して位置するとともに、カードホルダー本体１に形成されたカードホルダー上動阻止部材Ｖ１を構成する上動阻止突起ｖ１が、容器Ｂの側壁Ｂ’に形成された凹部ｂ１を構成する奥壁部ｂ１ａに穿設された縦長の長孔ｂ２の上端に当接或いは接近して位置するように構成されている。このようにして、図１５に示されているように、ＩＣカードＫが収容されたカードホルダーＳが、容器Ｂの側壁Ｂ’に取り付けられることになる。
【００３６】
上述したようにして、ＩＣカードＫが収容されたカードホルダーＳが、容器Ｂの側壁Ｂ’に形成された凹部ｂ１を構成する奥壁部ｂ１ａの外面ｂ１ａ’に取り付けられた際には、カードホルダーＳを構成するカードホルダー本体１に形成された係止部材Ｖ２の垂直部ｖ２ｂが、容器Ｂの側壁Ｂ’に形成された凹部ｂ１を構成する奥壁部ｂ１ａに係止されているので、カードホルダーＳが、容器Ｂの側壁Ｂ’から離反するようなことが阻止されるとともに、カードホルダーＳを構成するカードホルダー本体１に形成されたカードホルダー上動阻止部材Ｖ１を構成する上動阻止突起ｖ１が、容器Ｂの側壁Ｂ’に形成された凹部ｂ１を構成する奥壁部ｂ１ａに穿設された長孔ｂ２の上端に当接或いは接近して位置しているので、カードホルダーＳの上動が阻止されることになる。したがって、カードホルダーＳが、容器Ｂの側壁Ｂ’から、簡単に取り外されるようなことを防止することができる。特に、上動阻止突起ｖ１の上面ｖ１ａを、奥壁１ａの裏面１ａ”に対して略垂直とすることにより、カードホルダーＳの上動を、より確実に阻止することができる。
【００３７】
また、カードホルダー上動阻止部材Ｖ１を構成する上動阻止突起ｖ１の下面に、傾斜面ｖ１ｂが形成されているので、カードホルダーＳを、容器Ｂの側壁Ｂ’の上方から下降させて、カードホルダーＳを、容器Ｂの側壁Ｂ’への挿着する際に、上動阻止突起ｖ１が、容器Ｂに形成されているリブ等に当接しても、傾斜面ｖ１ｂに案内されながら、カードホルダーＳが外側に移動することになり、したがって、カードホルダーＳの下降が、上動阻止突起ｖ１により阻止されるようなことを防止することができる。
【００３８】
ところで、ＩＣカードＫに蓄積される情報は、リーダー・ライターにより、自由に、読み出しや書き込みができるものであり、したがって、容器Ｂに取り付けられた、ＩＣカードＫが収容されたカードホルダーＳやＩＣカードＫは、容器Ｂから取り外す必要がなく、むしろ、容器Ｂからの取り外しが困難なように構成することが好ましいが、本願発明は、上述した構成により、カードホルダーＳが、容器Ｂの側壁Ｂ’から、簡単に取り外されるようなことを、確実に防止することができる。
【００３９】
また、ＩＣカードＫが収容されたカードホルダーＳが、容器Ｂの側壁Ｂ’に形成された凹部ｂ１の奥壁部ｂ１ａの外面ｂ１ａ’に取り付けられた際には、カードホルダーＳの側部保護蓋２を構成する板状部２ａの垂直端面２ａ３が、容器Ｂの側壁Ｂ’に形成された凹部ｂ１を構成する奥壁ｂ１ａの外面ｂ１ａ’に、当接或いは近接して位置することになり、したがって、側部保護蓋２が、ヒンジ連結部Ｈ１を中心に、カードホルダー本体１から離反する方向に回動しようとした際には、カードホルダーＳの側部保護蓋２を構成する板状部２ａの垂直端面２ａ３が、凹部ｂ１を構成する奥壁ｂ１ａの外面ｂ１ａ’に当接することになり、よって、側部保護蓋２の回動が抑制されることになり、簡単には、側部保護蓋２が回動し、カードホルダー本体１の側部が開放されないように構成されている。
【００４０】
次に、図１６及び図１７を用いて、本発明の別の実施例について説明する。
【００４１】
本実施例においては、カードホルダー本体１を構成する下端水平フランジ１ｃの先端（下部垂下壁１ｆが立設されていない側の先端）に、下端水平フランジ１ｃを部分的に延出することにより、カードホルダー本体１を構成する奥壁１ａの裏面１ａ”から突出する複数の突っ張り片１ｃ１を突設されている。
【００４２】
ＩＣカードＫが収容されたカードホルダーＳが、容器Ｂの側壁Ｂ’に形成された凹部ｂ１の奥壁部ｂ１ａの外面ｂ１ａ’に取り付けられた際には、カードホルダー本体１を構成する下端水平フランジ１ｃの先端から突出する突っ張り片１ｃ１が、図１７に示されているように、奥壁部ｂ１ａの外面ｂ１ａ’に当接し、カードホルダーＳの下端部が、奥壁部ｂ１ａの外面ｂ１ａ’から離反する方向に、カードホルダーＳ全体に傾斜することになる。このように、カードホルダーＳが傾斜することにより、カードホルダーＳを構成するカードホルダー本体１に形成された係止部材Ｖ２の垂直部ｖ２ｂが、容器Ｂの側壁Ｂ’に形成された凹部ｂ１を構成する奥壁部ｂ１ａに圧接されることになり、したがって、カードホルダーＳのグラツキが防止できるとともに、カードホルダーＳの容器Ｂからの脱落を、より確実に防止することができる。更に、カードホルダーＳのグラツキを抑制することができるので、カードホルダーＳに収容されたＩＣカードＫへの情報の読み書きミスを防止することができる。
【００４３】
上述したように、カードホルダーＳに形成された係止部材Ｖ２の垂直部ｖ２ｂを、容器Ｂの側壁Ｂ’に穿設された長孔ｂ２に挿入した後、カードホルダーＳを、容器Ｂの側壁Ｂ’に沿って、垂直方向に下降させることにより、カードホルダー本体１に形成されたカードホルダー上動阻止部材Ｖ１を構成する上動阻止突起ｖ１を、容器Ｂの側壁Ｂ’に形成された凹部ｂ１を構成する奥壁部ｂ１ａに穿設された縦長の長孔ｂ２の上端に当接或いは接近して位置するように、カードホルダーＳを、容器Ｂの側壁Ｂ’に取り付けるように構成したので、カードホルダーＳを変形させることなく、容器Ｂの側壁Ｂ’に取り付けることができるので、弾性変形することが困難な板状のＩＣカードＫが収容された状態のカードホルダーＳを、容器Ｂの側壁Ｂ’に取り付けることができる。
【００４４】
なお、上述した、容器Ｂの側壁Ｂ’に穿設された縦長の長孔ｂ２は、公知の容器Ｂの側壁Ｂ’に形成されている通気孔を利用することもできる。
【００４５】
次に、図１８及び図１９を用いて、カードホルダー本体１と側部保護蓋２とをヒンジ連結する更に別の実施例のヒンジ連結部Ｈ２等について説明する。
【００４６】
この実施例においては、上述したカードホルダー本体１と側部保護蓋２とのヒンジ連結部Ｈ１に代えて、カードホルダー本体１を構成する奥壁１ａと側部保護蓋２を構成する板状部２ａとの間に、カードホルダー本体１を構成する奥壁１ａと側部保護蓋２を構成する板状部２ａとが、略面一に並設された状態において、奥壁１ａに対して垂直な水平断面形状が略Ｖ字状の溝Ｇ１を形成することにより、カードホルダー本体１と側部保護蓋２とを、薄肉部ｇ１を有する公知のヒンジ連結部Ｈ２によりヒンジ連結したものである。
【００４７】
また、側部保護蓋２を構成する板状部２ａの外面２ａ”には、板状部２ａの幅方向に延在する三角形状の突っ張りリブ２ｇが形成されている。三角形状の突っ張りリブ２ｇの直角部を構成する一辺２ｇ１は、ヒンジ連結部Ｈ２に略一致するように位置し、傾斜辺２ｇ２は、側壁部２ｂ付近まで達している。このような、三角形状の突っ張りリブ２ｇは、複数個、形成することができる。
【００４８】
ＩＣカードＫが収容されたカードホルダーＳを、容器Ｂの側壁Ｂ’に形成された凹部ｂ１の奥壁部ｂ１ａの外面ｂ１ａ’に取り付けた際には、図１９に示されているように、三角形状の突っ張りリブ２ｇの一辺２ｇ１が、奥壁部ｂ１ａの外面ｂ１ａ’に当接或いは近接して位置することになり、したがって、側部保護蓋２が、ヒンジ連結部Ｈ２を中心に、カードホルダー本体１から離反する方向に回動しようとした際には、カードホルダーＳの側部保護蓋２を構成する板状部２ａに形成された三角形状の突っ張りリブ２ｇの一辺２ｇ１が、凹部ｂ１を構成する奥壁ｂ１ａの外面ｂ１ａ’に当接することになり、よって、側部保護蓋２の回動が抑制されることになり、簡単には、側部保護蓋２が回動し、カードホルダー本体１の側部が開放されないように構成されている。
【図面の簡単な説明】
【００４９】
【図１】図１は、本発明のカードホルダーの斜視図である。
【図２】図２は、本発明のカードホルダーの部分拡大斜視図である。
【図３】図３は、本発明のカードホルダーの水平断面図である。
【図４】図４は、本発明のカードホルダーの部分拡大平面図である。
【図５】図５は、本発明のカードホルダーの水平断面図である。
【図６】図６は、ＩＣカードが挿入途中の本発明のカードホルダーの斜視図である。
【図７】図７は、ＩＣカードが挿着された状態の本発明のカードホルダーの斜視図である。
【図８】図８は、ＩＣカードが挿着されていない状態の本発明のカードホルダーの斜視図である。
【図９】図９は、本発明のカードホルダーが取り付けられる一例としての容器の外側からの部分拡大斜視図である。
【図１０】図１０は、本発明のカードホルダーが取り付けられる一例としての容器の内側からの部分拡大斜視図である。
【図１１】図１１は、本発明のカードホルダーの裏面斜視図である。
【図１２】図１２は、本発明のカードホルダーが取り付けられた状態の容器の内側からの一部断面を含む部分拡大斜視図である。
【図１３】図１３は、本発明のカードホルダーが取り付けられた状態の容器の内側からの部分拡大斜視図である。
【図１４】図１４は、本発明のカードホルダーが取り付けられた状態の水平断面図である。
【図１５】図１５は、本発明のカードホルダーが取り付けられた状態の斜視図である。
【図１６】図１６は、本発明の別の実施例のカードホルダーの一部垂直断面を含む裏面部分斜視図である。
【図１７】図１７は、図１６に示されている本発明の別の実施例のカードホルダーが取り付けられた状態の容器の内側からの一部断面を含む部分拡大斜視図である。
【図１８】図１８は、本発明の更に別の実施例のカードホルダーの水平断面図である。
【図１９】図１９は、図１８に示されているカードホルダーが、容器に取り付けられた状態のカードホルダーの水平断面図である。
【符号の説明】
【００５０】
Ｂ・・・・・・・・・・・・容器
Ｋ・・・・・・・・・・・・ＩＣカード
Ｓ・・・・・・・・・・・・カードホルダー
Ｖ１・・・・・・・・・・・カードホルダー上動阻止部材
Ｖ２・・・・・・・・・・・係止部材
１・・・・・・・・・・・・カードホルダー本体
１ａ・・・・・・・・・・・奥壁
１ｂ・・・・・・・・・・・上端水平フランジ
１ｃ・・・・・・・・・・・下端水平フランジ
１ｄ・・・・・・・・・・・垂直側部フランジ
２・・・・・・・・・・・・側部保護蓋
２ａ・・・・・・・・・・・板状部
２ｂ・・・・・・・・・・・側壁部
【図１】
2010083503.tif 000003
【図２】
2010083503.tif 000004
【図３】
2010083503.tif 000005
【図４】
2010083503.tif 000006
【図５】
2010083503.tif 000007
【図６】
2010083503.tif 000008
【図７】
2010083503.tif 000009
【図８】
2010083503.tif 000010
【図９】
2010083503.tif 000011
【図１０】
2010083503.tif 000012
【図１１】
2010083503.tif 000013
【図１２】
2010083503.tif 000014
【図１３】
2010083503.tif 000015
【図１４】
2010083503.tif 000016
【図１５】
2010083503.tif 000017
【図１６】
2010083503.tif 000018
【図１７】
2010083503.tif 000019
【図１８】
2010083503.tif 000020
【図１９】
2010083503.tif 000021